(57)【特許請求の範囲】
【請求項１】
遊技球が流下する遊技領域が前側に設けられた遊技盤と、前記遊技盤の裏側に配設され、遊技盤を介して図柄を変動表示可能な表示部が後方から臨む図柄表示装置と、前記遊技盤に配設されて前記図柄表示装置より下側に位置し、前記遊技領域を流下する遊技球が入賞可能な入賞装置とを備える遊技機において、
前記入賞装置は、
遊技球が入賞可能な入賞口と、
前記入賞口の下方に設けられて通路が前後方向に延在する光非透過性の筒部材と、
前記筒部材の内部に設けられて前方へ光を照射する発光手段と、
前記筒部材の通路内に配設された拡大レンズと、
前記発光手段と拡大レンズとの間に設けられ、図柄が描かれた図柄部材とを備え、
前記発光手段から図柄部材に照射された光の透過光により形成される図柄を前記拡大レンズで拡大した図柄を、遊技盤に対面する遊技者に投影すると共に、
前方へ光を照射する第２の発光手段と、
前記第２の発光手段の前側に設けられ、前記図柄部材に照射された光の透過光により形成される図柄と同じ図柄が形成され、前記第２の発光手段から照射される光によって該図柄が明輝される表示部材とを備えた
ことを特徴とする遊技機。
【発明の詳細な説明】
【技術分野】
【０００１】
この発明は、遊技領域を流下する遊技球が入賞可能な入賞装置を備えた遊技機に関するものである。
【背景技術】
【０００２】
代表的な遊技機であるパチンコ機は、機内にセットされる遊技盤の盤面に画成した遊技領域の略中央位置に枠状の装飾部材(所謂センター役物)が配設されて、該装飾部材の開口部から液晶式やドラム式等の図柄表示装置を臨ませ、この図柄表示装置で図柄組み合わせやリーチ演出等の遊技演出を行なうよう構成されている。また、図柄表示装置の下方位置に、図柄表示装置での図柄変動を開始させる契機となる始動入賞装置や、一般入賞装置が配設されている。そして、始動入賞装置へのパチンコ球の入賞を契機として開始された図柄変動の結果、図柄表示装置に特定の図柄の組合わせ(大当り図柄)が表示されることで、遊技者に有利な特別遊技(大当り遊技)を発生させるよう構成されている。前記特別遊技が発生すると、図柄表示装置における演出に合わせて、遊技盤に配設した特別入賞装置を開放した後に一旦閉鎖する動作パターン(ラウンド遊技)を所定回数繰返し、遊技者が多数の賞球を獲得し得る好機を与えるようになっている。
【０００３】
またパチンコ機では、例えば、ＬＥＤ等の発光素子を備えた発光演出装置が遊技盤に配設され、前記図柄表示装置の図柄変動に合わせて発光素子を点灯したり点滅したりすることで、演出効果の向上を図ることが行なわれている。更に、特許文献１では、パチンコ機に設けた照射装置から照射した画像を遊技者に投影すると共に、該画像が投影された遊技者を更に画像と共に遊技領域に設けられた画像表示装置に表示することで、演出効果の向上を図っている。
【先行技術文献】
【特許文献】
【０００４】
【特許文献１】特開２００９−１７２０７１号公報
【発明の概要】
【発明が解決しようとする課題】
【０００５】
前記特許文献１では、照射装置が単独で設けられているため、該照射装置に対する注目度は低く、演出効果の向上は限定的であった。また特許文献１の照射装置は、遊技者における投影し得る面積の小さな額に画像を投影するよう構成されているが、パチンコ機の正面に座っている遊技者の体格差、あるいは遊技姿勢によっては面積の小さな額に画像を投影することができず、初期の効果が期待できない難点も指摘される。なお、画像を投影する位置を可変し得るよう構成することで、任意の部位に画像を投影することは可能であるが、この場合は構造が複雑となってコストが嵩む問題を招く。
【０００６】
すなわち本発明は、従来の技術に係る遊技機に内在する前記問題に鑑み、これらを好適に解決するべく提案されたものであって、入賞装置の演出効果を高めて遊技の興趣を向上し得る遊技機を提供することを目的とする。
【課題を解決するための手段】
【０００７】
前記課題を克服し、所期の目的を達成するため、本願の請求項１に係る発明は、
遊技球が流下する遊技領域(20a)が前側に設けられた遊技盤(20)と、前記遊技盤(20)の裏側に配設され、遊技盤(20)を介して図柄を変動表示可能な表示部が後方から臨む図柄表示装置(19)と、前記遊技盤(20)に配設されて前記図柄表示装置(19)より下側に位置し、前記遊技領域(20a)を流下する遊技球が入賞可能な入賞装置(50)とを備える遊技機において、
前記入賞装置(50)は、
遊技球が入賞可能な入賞口(50a)と、
前記入賞口(50a)の下方に設けられて通路が前後方向に延在する光非透過性の筒部材(75)と、
前記筒部材(75)の内部に設けられて前方へ光を照射する発光手段(84a)と、
前記筒部材(75)の通路内に配設された拡大レンズ(80)と、
前記発光手段(84a)と拡大レンズ(80)との間に設けられ、図柄が描かれた図柄部材(86)とを備え、
前記発光手段(84a)から図柄部材(86)に照射された光の透過光により形成される図柄を前記拡大レンズ(80)で拡大した図柄を、遊技盤(20)に対面する遊技者に投影すると共に、
前方へ光を照射する第２の発光手段(67)と、
前記第２の発光手段(67)の前側に設けられ、前記図柄部材(86)に照射された光の透過光により形成される図柄と同じ図柄が形成され、前記第２の発光手段(67)から照射される光によって該図柄が明輝される表示部材(69)とを備えたことを要旨とする。
【０００８】
請求項１に係る発明によれば、パチンコ球の入賞により所定数の賞球が獲得できたり図柄変動が開始される契機となる遊技部品である入賞装置に、単に発光するだけの演出でなく、図柄を遊技者に対して投影する演出を行なう装置を設けることで、入賞装置に対する注目度を高めて遊技の興趣を向上することができる。すなわち、入賞装置に図柄を投影する装置を設けることで、演出効果を高めて遊技の興趣を向上すると共に他機種との差別化を図ることができる。また、遊技盤において図柄表示装置の下側に配設される入賞装置は、当該遊技機の正面に座って遊技盤に対面している遊技者の平均的な体格や遊技姿勢において、該遊技者における投影し得る面積の大きな胸部または腹部に対向して位置している。すなわち、図柄を投影する位置を調節することなく、遊技者に確実に図柄を投影することができ、構成を簡単にし得ると共に製造コストを低廉に抑えることができる。
また、遊技者に投影する図柄と同じ図柄を明輝することで、入賞装置の注目度を更に高めて、遊技の興趣を向上し得る。
【発明の効果】
【００１１】
本発明に係る遊技機によれば、入賞装置の演出効果を高めて遊技の興趣を向上し得る。
【図面の簡単な説明】
【００１２】
【図１】本発明の実施例に係るパチンコ機を示す正面図である。
【図２】実施例に係る遊技盤を示す正面図である。
【図３】実施例に係る枠状装飾体における右傾斜庇部分を拡大して示す概略斜視図である。
【図４】実施例に係る導光部材を背面側から視た状態で示す斜視図である。
【図５】実施例に係る遊技盤において導光部材の配設箇所を拡大して示す背面図と、箱状部材において装飾用ＬＥＤ基板の設置箇所を拡大して示す正面図である。
【図６】実施例に係る制御装置に接続される各部を示すブロック図である。
【図７】実施例に係る第１始動入賞装置を示す正面図である。
【図８】実施例に係る第１始動入賞装置を正面側から視た状態で示す分解斜視図である。
【図９】実施例に係る第１始動入賞装置を背面側から視た状態で示す分解斜視図である。
【図１０】(a)は、実施例に係る投影手段における筒状本体、後側レンズおよび投影図柄表示部材を背面側から視た状態で示す分解斜視図であり、(b)は(a)の各部材を縦断して正面側から視た状態で示す分解斜視図である。
【図１１】図７におけるＡ−Ａ線断面図である。
【図１２】実施例に係る第２始動入賞装置を正面側から示す斜視図である。
【図１３】実施例に係る第２始動入賞装置を背面側から示す斜視図である。
【図１４】実施例に係る第２始動入賞装置を正面側から視た状態で示す分解斜視図である。
【図１５】(a)は、実施例に係る第２始動入賞装置におけるガイド手段を背面側から視た状態で示す斜視図であり、(b)は(a)に示したガイド手段の分解図である。
【図１６】実施例に係る第２始動入賞装置の取着部を示す正面図であって、ガイド手段のガイド部を前後方向の中間位置で縦断した状態で示す。
【図１７】実施例に係る第２始動入賞装置を、取着部およびガイド手段を省略して正面側から視た状態を示す分解斜視図である。
【図１８】実施例に係る第２始動入賞装置を、取着部、ガイド手段およびソレノイドを省略して背面側から視た状態を示す分解斜視図である。
【図１９】実施例に係る第２始動入賞装置における装置本体の分解斜視図であって、前側ケース体は背面側から視た状態で示し、後側ケース体は正面側から視た状態で示してある。
【図２０】実施例に係る第２始動入賞装置の内部構造を示す側面図である。
【図２１】実施例に係る第２始動入賞装置の全体を、図１６におけるＢ−Ｂ線で縦断した状態で示す断面図である。
【図２２】実施例に係る第２始動入賞装置の作動手段とソレノイドとを組み付けた状態を示す斜視図である。
【図２３】実施例に係る第２始動入賞装置の作動手段の説明図であって、第２作動部材が長溝の規制位置に位置する状態を示す。なお、開閉部材は入賞阻止位置に保持されている。
【図２４】実施例に係る第２始動入賞装置の作動手段の説明図であって、第２作動部材が長溝の規制位置に位置する状態において、開閉部材を強制的に開放する操作が行なわれた状態を示す。なお、開閉部材は入賞阻止位置に保持されている。
【図２５】実施例に係る第２始動入賞装置の作動手段の説明図であって、ソレノイドの駆動に伴って第２作動部材が長溝の許容位置に移動した状態を示す。なお、開閉部材は入賞阻止位置に保持されている。
【図２６】実施例に係る第２始動入賞装置の作動手段の説明図であって、ソレノイドの駆動に伴って第２作動部材が揺動された状態を示す。なお、開閉部材は入賞許容位置に移動される。
【発明を実施するための形態】
【００１３】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機１０を前側(遊技者側)から見た状態で指称する。
【実施例】
【００１４】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、各種図柄を変動表示可能な図柄表示装置１９が着脱可能に配設されている。また、前記中枠１２の前面側には、前記遊技盤２０を透視保護するガラス板や透明な合成樹脂材により形成された透視保護板(図示せず)で前後に開口する窓部１３ａを覆うよう構成された前枠１３が開閉可能に組み付けられると共に、該前枠１３の下方にパチンコ球Ｐを貯留する下球受け皿１５が開閉可能に組み付けられる。なお、実施例では、前記前枠１３の下部位置に、パチンコ球Ｐを貯留する上球受け皿１４が一体的に組み付けられており、前枠１３の開閉に合わせて上球受け皿１４も一体的に開閉するよう構成される。なお、実施例では、前記図柄表示装置１９としては、各種図柄を表示可能な液晶パネルを収容ケースに収容した液晶表示装置が採用されるが、これに限られるものではなく、ドラム式の図柄表示装置１９やドットマトリックス式の図柄表示装置１９等の各種図柄を停止および変動表示可能な従来公知の各種の図柄表示装置１９を採用し得る。また、前記上球受け皿１４は、前記前枠１３と別体に形成してもよい。
【００１５】
また、前記中枠１２の右下方位置には、該中枠１２に配設された打球発射装置(図示せず)を作動する操作ハンドル１６が設けられている。前記操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａの回動量を操作することで、前記遊技盤２０に形成された第１球流下経路２１(後述)をパチンコ球が流下する所謂「左打ち」と、該遊技盤２０に形成された第２球流下経路２２(後述)をパチンコ球が流下する所謂「右打ち(ゴム打ち)」とを打ち分け得るようになっている。
【００１６】
(遊技盤２０について)
前記遊技盤２０は、図２に示すように、所定板厚の略矩形状に形成された木材板の表面に、各種絵柄等が描かれた合成樹脂シート(図示せず)等を貼付けて装飾した板部材であって、該遊技盤２０の表面(盤面)に配設された略円形状に湾曲形成する案内レール２３により、パチンコ球が流下可能な遊技領域２０ａが画成されている。また、前記遊技盤２０の裏面に、前記図柄表示装置１９が取り付けられた箱状部材３３(後述)が配設されている。
【００１７】
ここで、前記案内レール２３は、遊技盤２０の左下部から右上部に至るよう左方向に膨出する円弧状に形成された外レール２４と、該外レール２４の内側に配置されて、遊技盤２０の右上部、右下部および左上部に至るよう右方向に膨出する円弧状に形成された内レール２５,２６とから構成されている。前記内レール２５,２６は、遊技盤２０の右上部から下部に亘って配設され、左端縁が右方に凹む円弧状に形成された盤面飾り部材２５と、遊技盤２０の下部から左上部に亘って配設されて盤面飾り部材２５の下端部に連接し、前記外レール２４の右方に離間して位置するレール部材２６とから構成され、該外レール２４およびレール部材２６により１個のパチンコ球が通過可能な発射通路２３ａが画成されている。ここで、前記内レールを構成するレール部材２６は、前記遊技盤２０の左上部に開放端を臨ませるよう構成されて、前記打球発射装置から発射されたパチンコ球が発射通路２３ａの下方開口から飛翔して、レール部材２６の開放端側から遊技領域２０ａ内に打ち出されるようになっている。
【００１８】
図２に示すように、前記外レール２４と盤面飾り部材２５との接続位置は、該外レール２４および盤面飾り部材２５の曲率の相違から段差が形成されており、該段差部分に緩衝ゴム２５ａが配設されている。すなわち、前記外レール２４の終端位置に臨むよう緩衝ゴム２５ａが配設されて、前記打球発射装置から発射されて外レール２４に沿って終端位置まで移動したパチンコ球を緩衝ゴム２５ａで減勢するようになっている。なお、前記緩衝ゴム２５ａは、前記第２球流下経路２２に位置している。
【００１９】
(遊技盤２０の装着口)
前記遊技盤２０には、前後に貫通する装着口(図５に第１装着口２７ａのみ図示)が前記遊技領域２０ａ内に複数開設されて、各装着口２７ａに対して各種部品が前側から取り付けられると共に、遊技領域２０ａの最下部位置には、該遊技領域２０ａに打ち出されたパチンコ球を排出するアウト口３０が開設されている。また、前記遊技盤２０には、前記遊技領域２０ａ内に多数の遊技釘２０ｂが植設されており、遊技領域２０ａを流下するパチンコ球が遊技釘２０ｂに接触することでパチンコ球の流下方向を不規則に変化させるようになっている。なお、前記装着口２７ａの形成数は、遊技盤２０に対して取り付けられる各種部品の個数や配設位置等により必要に応じて適宜決定される。
【００２０】
実施例の前記遊技盤２０には、前記案内レール２３で囲まれた遊技領域２０ａの略中央の大部分が開口する第１装着口２７ａに、前後に開口する窓口４０ａが形成された枠状装飾体４０が取り付けられ、該枠状装飾体４０の窓口４０ａを介して図柄表示装置１９の表示面が遊技盤２０の前面側に臨むよう構成されている。そして、第１装着口２７ａ(枠状装飾体４０)の下方に開設された第２装着口(図示せず)に、遊技領域２０ａ(第１球流下経路２１)を流下するパチンコ球が入賞可能な第１始動入賞口５０ａを有する第１始動入賞装置５０が取り付けられ、該第２装着口(第１始動入賞装置５０)の右側方に開設された第３装着口(図示せず)に、遊技領域２０ａ(第２球流下経路２２)を流下するパチンコ球が入賞可能な第２始動入賞口９２を有する第２始動入賞装置９０が取り付けられると共に、該第３装着口(第２始動入賞装置９０)の上方に開設された第４装着口(図示せず)に、遊技領域２０ａ(第２球流下経路２２)を流下するパチンコ球が入賞可能な特別入賞装置３１が取り付けられている。
【００２１】
そして、前記第１始動入賞装置５０に設けられた第１始動入賞口５０ａまたは第２始動入賞装置９０に設けられた第２始動入賞口９２に遊技領域２０ａを流下するパチンコ球が入賞することで、前記図柄表示装置１９において図柄が変動表示されて図柄変動演出が展開され、該図柄変動演出の結果、図柄表示装置１９に所定の図柄組み合わせ(例えば同一図柄の３つ揃い等)で図柄が停止表示されることで所謂大当りが発生し、大当りの発生に伴って前記特別入賞装置３１が開放して多数の賞球を獲得し得る機会が与えられるようになっている。ここで、後述するように、前記第１始動入賞装置５０は、第１始動入賞口５０ａが遊技領域２０ａに常時開放する常時開放型の入賞装置とされ、前記第２始動入賞装置９０は、所定の開放条件および閉鎖条件(何れも後述)に従って第２始動入賞口９２が開閉部材１３０により開閉される開閉型の入賞装置とされている。そして、前記特別入賞装置３１は、開閉扉３１ａにより特別入賞口(図示せず)を常には閉鎖するよう構成され、大当りの発生に伴って特別入賞口を開放するよう構成されている。
【００２２】
ここで、実施例のパチンコ機１０では、遊技が行なわれる遊技状態として３つの状態が設定されている。すなわち、パチンコ機１０において通常行なわれる通常状態と、該通常状態に較べて大当りの発生確率が高く、かつ前記第２始動入賞装置９０の第２始動入賞口９２への入賞確率が高く設定された確率変動状態と、通常状態に較べて大当りの発生確率が同等で、かつ第２始動入賞装置９０の第２始動入賞口９２への入賞確率が高く設定された時間短縮状態が設定されている。そして、前記第１始動入賞口５０ａまたは第２始動入賞口９２へパチンコ球が入賞した際に、前記遊技状態を変更するか否かがパチンコ機１０裏側に配設された制御装置１８で決定される。
【００２３】
また、前記特別入賞装置３１の上方には、前記遊技領域２０ａ(第２球流下経路２２)を流下するパチンコ球が通過可能な球通過ゲート２８が設けられると共に、パチンコ球を検出する球通過検出センサ２９(図６参照)が球通過ゲート２８に設けられている。前記球通過ゲート２８の球通過検出センサ２９は、パチンコ機１０裏側に配設された制御装置１８に接続されており、該球通過検出センサ２９の検出に伴って前記第２始動入賞装置９０における第２始動入賞口９２を開放するか否かの始動口開放抽選が行なわれ、該始動口開放抽選の結果が当選の場合に、第２始動入賞口９２を開放するよう第２始動入賞装置９０が駆動制御されるようになっている。すなわち、実施例のパチンコ機１０では、前記球通過ゲート２８の球通過検出センサ２９がパチンコ球を検出して行なわれる始動口開放抽選の結果が当選となることが、前記第２始動入賞装置９０の第２始動入賞口９２を開放する開放条件とされている。
【００２４】
そして、前記第２始動入賞口９２を開放してから所定の閉鎖条件が成立することで、該第２始動入賞口９２が閉鎖されるようになっている。ここで、前記第２始動入賞口９２を閉鎖する閉鎖条件としては、例えば前記開閉部材１３０が入賞許容位置に移動してからの経過時間(第２始動入賞口９２の開放時間)や、第１始動入賞球検出センサ３８による設定数のパチンコ球の検出等が挙げられるが、これに限られるものではない。すなわち、パチンコ機１０において入賞口を開閉する開閉式の始動入賞装置に採用される開閉部材１３０の開放条件および閉鎖条件に従ってソレノイド１５０(後述)が駆動制御される。
【００２５】
(特定条件について)
また、実施例のパチンコ機１０では、前記第２始動入賞装置９０の第２始動入賞口９２を開放する開放条件および該第２始動入賞口９２を閉鎖する閉鎖条件は、遊技状態に応じて設定されている。すなわち、遊技状態が前記確率変動状態および時間短縮状態の場合には、遊技状態が通常状態の場合に較べて、前記第２始動入賞装置９０の第２始動入賞口９２が開放され易くなるよう前記開放条件や閉鎖条件が設定されて、第２始動入賞口９２への入賞率を高くするよう構成されている。具体的には、実施例では、遊技状態が前記確率変動状態および時間短縮状態の場合には、遊技状態が通常状態の場合に較べて、前記始動口開放抽選の結果が確定するまでの時間が短くなるよう設定されると共に、第２始動入賞口９２の１回の開放毎の開放時間を長く設定することで、確率変動状態および時間短縮状態における第２始動入賞口９２への入賞確率を高くしている。例えば、遊技状態が通常状態の場合には、始動口開放抽選の結果が確定するまでの時間が略３０秒で、かつ第２始動入賞口９２の開放時間が０．１秒／１回に設定されるのに対し、遊技状態が確率変動状態および時間短縮状態の場合には、始動口開放抽選の結果が確定するまでの時間が略２秒で、かつ第２始動入賞口９２の開放時間が２秒／１回に設定されている。
【００２６】
そして、前記特別入賞装置３１および第２始動入賞装置９０の夫々を、前記遊技盤２０の右側部に配置したことで、パチンコ球が第１球流下経路２１を流下する場合に較べて、前記第２球流下経路２２を流下する場合の方が、各入賞装置３１,９０に入賞し易くなっている。従って、実施例のパチンコ機１０は、特定の条件が成立した場合(大当り状態、遊技状態が確率変動遊技状態または時間短縮遊技状態となった場合)に、パチンコ球を第２球流下経路２２へ打ち出す「右打ち(ゴム打ち)」を実施し、特定条件が不成立の場合には、パチンコ球を第１球流下経路２１へ打ち出す「左打ち」を実施することで、所定の遊技が行なわれるよう構成されている。このように、遊技者が遊技状態(特定条件の成立・不成立)に応じて前記操作ハンドル１６を操作してパチンコ球の打ち出し位置を変更するよう構成することで、遊技者に能動的な遊技参加を促し、遊技の興趣を高めるようになっている。すなわち、実施例において特定条件の成立とは、パチンコ球を第２球流下経路２２へ打ち出す「右打ち(ゴム打ち)」を実施するのに適した条件の成立をいうものである。
【００２７】
(箱状部材３３について)
前記箱状部材３３は、前記遊技盤２０の外郭形状と略整合する大きさおよび形状に形成された略矩形状の背面板(図示せず)と、該背面板の外周縁部から前方に突出する画壁部３３ａ(図５参照)とから前方に開口した箱状に形成されて、該画壁部３３ａの開口前端部を遊技盤２０の裏面に当接させた状態で、当該遊技盤２０と箱状部材３３とがネジにより固定される。そして、前記箱状部材３３において前記遊技盤２０との間に画成される空間(図示せず)に、可動演出装置３４や各種装飾部材３５等が設置されて、箱状部材３３を基材とする１つのユニットとして扱い得るようになっている。また、前記箱状部材３３の背面板には、前記枠状装飾体４０の窓口４０ａを前後に整列する位置に、略矩形状の開口部３３ｂ(図５参照)が前後に開口するよう開設されると共に、該背面板の裏側に前記図柄表示装置１９が着脱自在に取り付けられて、該開口部３３ｂを介して図柄表示装置１９の表示部が遊技盤２０の前側に臨むようになっている。
【００２８】
そして、図５に示すように、前記箱状部材３３の右上部位置には、前記枠状装飾体４０に形成された光透過部４２(後述)の後方位置に、前方へ向けて光を照射するＬＥＤ(発光手段)３６ａを実装した装飾用ＬＥＤ基板３６が配設されており、該装飾用ＬＥＤ基板３６のＬＥＤ３６ａの光が光透過部４２へ照射されるよう構成されている。また、前記箱状部材３３には、前記第１始動入賞装置５０、第２始動入賞装置９０および特別入賞装置３１の後方位置に、各入賞装置３１,５０,９０に入賞したパチンコ球を遊技盤２０の下方へ排出案内する入賞球排出通路(図示せず)が形成されている。そして、前記各入賞球排出通路を通過したパチンコ球を、前記中枠１２に設けられた球回収部(図示せず)を介してパチンコ機１０の外部(遊技店側の球循環設備)へ回収するようになっている。なお、前記入賞球排出通路にあって、前記第１始動入賞装置５０に入賞したパチンコ球を排出案内する入賞球排出通路を第１始動入賞球排出通路とし、前記第２始動入賞装置９０および特別入賞装置３１に入賞したパチンコ球を排出案内する入賞球排出通路を第２始動入賞球排出通路とする。
【００２９】
また、前記第１始動入賞球排出通路には、パチンコ機１０の裏側に配設された制御装置１８に接続された第１始動入賞球検出センサ３８(図６参照)が配設されて、前記第１始動入賞口５０ａに入賞して第１始動入賞球排出通路を通過するパチンコ球を第１始動入賞球検出センサ３８で検出するよう構成されている。そして、前記第１始動入賞球検出センサ３８によるパチンコ球の検出(すなわち第１始動入賞口５０ａへの入賞)に伴って、前記大当りを発生するか否か(特別入賞装置３１を開放するか否か)を決定する大当り抽選が前記制御装置１８で行なわれるよう設定され、該大当り抽選の結果に基づいて前記図柄表示装置１９において図柄変動演出が行なわれるようになっている。一方、前記第２始動入賞口９２に入賞したパチンコ球は、前記第２始動入賞装置９０が備える後述の第２始動入賞球検出センサ１２１(図６、図１８、図１９、図２１等参照)で検出するよう構成されており、第２始動入賞球検出センサ１２１によるパチンコ球の検出(すなわち第２始動入賞口９２への入賞)に伴って、同様に大当り抽選が前記制御装置１８において行なわれて前記図柄表示装置１９での図柄変動演出が行なわれるよう設定されている。
【００３０】
(枠状装飾体４０について)
前記遊技盤２０に配設される前記枠状装飾体４０は、図２、図３に示すように、前記遊技盤２０に開設された前記第１装着口２７ａに沿って延在する環状に形成された薄板状の固定板４１と、該固定板４１の開口内周に沿って設けられて、遊技盤２０より前方へ突出する庇状部４３とを備え、遊技盤２０に固定板４１が前側からネジ止めされている。ここで、前記庇状部４３は、前記枠状装飾体４０(固定板４１)の左側縁の中間位置から上縁および右下縁に亘って連続して延在するよう設けられており、図柄表示装置１９の前面側を横切ってパチンコ球が流下(落下)するのを規制している。
【００３１】
ここで、前記庇状部４３は、最上部位置から左右方向に下方傾斜するよう形成されて、遊技領域２０ａに打ち出されたパチンコ球が庇状部４３上で滞ることなく前記枠状装飾体４０の左側方または右側方へ誘導されるよう形成されている。以下の説明では、前記庇状部４３について、前記枠状装飾体４０の最上部から左側縁に沿って下方傾斜するよう延在する左傾斜庇部分４３ａと指称し、該枠状装飾体４０の最上部から右側縁に沿って下方傾斜するよう延在する右傾斜庇部分４３ｂと指称して便宜上区別することもある。
【００３２】
すなわち、前記遊技盤２０に画成された遊技領域２０ａには、前記枠状装飾体４０の左側方をパチンコ球が流下する第１球流下経路２１、および該枠状装飾体４０の右側方をパチンコ球が流下する第２球流下経路２２が設けられており、前記庇状部４３上の左傾斜庇部分４３ａに到来したパチンコ球が第１球流下経路２１を流下し、該庇状部４３上の右傾斜庇部分４３ｂに到来したパチンコ球が第２球流下経路２２を流下するようになっている。換言すると、前記打球発射装置により遊技領域２０ａ内に発射されたパチンコ球は、到達位置に応じて前記枠状装飾体４０およびレール部材２６(内レール２５,２６)の間に形成される第１球流下経路２１か、或いは枠状装飾体４０および盤面飾り部材２５(内レール２５,２６)の間に形成される第２球流下経路２２の何れかを流下する。すなわち、実施例に係るパチンコ機では、前記第１球流下経路２１をパチンコ球が流下する場合(左打ちした場合)に、パチンコ球が第２球流下経路２２を流下する場合に較べて第１始動入賞装置５０の第１始動入賞口５０ａにパチンコ球が入賞する可能性が高くなるよう構成されると共に、該第２球流下経路２２をパチンコ球が流下する場合(右打ちの場合)に、パチンコ球が第１球流下経路２１を流下する場合に較べて前記特別入賞装置３１の特別入賞口や第２始動入賞装置９０の第２始動入賞口９２へパチンコ球が入賞する可能性が高くなるよう構成されている。また、前記庇状部４３上における右傾斜庇部分４３ｂの下端部には、前記固定板４１の前面に突出する球移動規制板４７が下方(第１始動入賞装置５０の配設方向)に延在するよう設けられており(図２、図３参照)、前記第２球流下経路２２を流下するパチンコ球が前記第１始動入賞装置５０側に移動するのを規制するようになっている。
【００３３】
また、図５に示すように、前記枠状装飾体４０には、前記固定板４１の開口内周に沿って後方へ突出する内周壁部４４が形成されており、前記遊技盤２０に開設された第１装着口２７ａの開口内周面を枠状装飾体４０の内周壁部４４で覆うよう構成されている。なお、前記固定板４１、庇状部４３および内周壁部４４の夫々は一体に樹脂形成する構成であっても、別部材として形成する構成であってもよい。ここで、前記第２球流下経路２２に対応する位置では、前記枠状装飾体４０の内周壁部４４と第１装着口２７ａの開口内周面とが離間するよう構成されており(図５参照)、該枠状装飾体４０の内周壁部４４と第１装着口２７ａの開口内周面との間に、前記箱状部材３３の装飾用ＬＥＤ基板３６からの光を固定板４１に導く導光部材４５が配置されている。
【００３４】
また、図３に示すように、前記固定板４１には、前記第２球流下経路２２と対応する位置に光透過性の光透過部４２が形成されており、該第２球流下経路２２を流下するパチンコ球が該固定板４１の光透過部４２の前側を通過するよう構成されている。そして、前記光透過部４２は、前記遊技盤２０に形成された前記第１装着口２７ａの内側に露出しており、該光透過部４２の後方(裏側)に、前記箱状部材３３に配設された前記装飾用ＬＥＤ基板３６が対向するようになっている。すなわち、前記装飾用ＬＥＤ基板３６に設けたＬＥＤ３６ａの光が前記枠状装飾体４０の光透過部４２に照射されて、前記第２球流下経路２２を発光装飾するよう構成されている。ここで、前記光透過部４２は、前庇状部４３に沿って複数箇所(実施例では８箇所)に形成されている。
【００３５】
図４、図５に示すように、前記枠状装飾体４０の固定板４１には、前記光透過部４２の裏側に対応する位置に、前後方向に貫通する筒状の導光部４５ａを有する導光部材４５が配設されている。前記導光部材４５の導光部４５ａは、前記光透過部４２に対応するよう前記庇状部４３に沿って複数(実施例では８つ)設けられている。そして、前記導光部材４５における各導光部４５ａの後方開口に、前記装飾用ＬＥＤ基板３６に設けたＬＥＤ３６ａが夫々臨むと共に、各導光部４５ａの前方開口に、前記固定板４１に形成された光透過部４２が夫々臨むようになっている(図５参照)。すなわち、前記装飾用ＬＥＤ基板３６に設けたＬＥＤ３６ａを発光した際には、対応する光透過部４２が個別的に明輝するようになっている。ここで、前記導光部材４５は、光を反射する反射加工が施されており、前記装飾用ＬＥＤ基板３６のＬＥＤ３６ａからの光を集中的に光透過部４２へ照射し得るよう構成されている。
【００３６】
ここで、前記装飾用ＬＥＤ基板３６は、前記特定条件の成立によりＬＥＤ３６ａが発光するようパチンコ機１０の裏側に設けた制御装置１８により発光制御されている。すなわち、前記第２球流下経路２２を発光装飾することで、特定条件の成立時にパチンコ球を打ち出すべき打ち出し位置を示唆するようになっている。また、実施例では、前記特定条件の成立時に、前記第２球流下経路２２の最上流に位置するＬＥＤ３６ａから下流側に位置するＬＥＤ３６ａの順で発光するよう制御されて、これにより第２球流下経路２２の上流から下流に向けて光が流れるように見え、パチンコ球の打ち出し位置を強く示唆している。なお、第２球流下経路２２の最下流に位置するＬＥＤ３６ａが発光された後は、全てのＬＥＤ３６ａが消灯されて再び第２球流下経路２２の最上流に位置するＬＥＤ３６ａから下流側に位置するＬＥＤ３６ａの順で発光するようになっている。
【００３７】
更に、図３に示すように、前記枠状装飾体４０における右傾斜庇部分４３ｂの外周面には、前後方向へ延在する突条の凹凸部４６が外方へ突出するよう複数箇所(実施例では９箇所)に形成されている。また、前記第２球流下経路２２を形成する前記枠状装飾体４０(右傾斜庇部分４３ｂ)と案内レール２３(外レール２４および盤面飾り部材２５)との間は、パチンコ球１個分の幅寸法より大きく、かつ遊技球２個分の幅寸法より小さな幅寸設に設定されて、前記第２球流下経路２２を通過するパチンコ球が前記固定板４１(光透過部４２)の前面側を通過するようになっている。すなわち、前記特定条件成立時に第２球流下経路２２へ打ち出されたパチンコ球が、前記右傾斜庇部分４３ｂに沿って転動した際に、前記凹凸部４６に接触することで減勢されると共に、明輝した光透過部４２の前側をパチンコ球が通過することで、発光による演出効果を持続するようになっている。
【００３８】
(第１始動入賞装置５０)
次に前記第１始動入賞装置５０について説明する。前記第１始動入賞装置５０は、図７〜図１１に示すように、前記第１始動入賞口５０ａが形成される第１始動装置本体５１と、該第１始動装置本体５１に設けられ、遊技者に所定の像を投影する投影手段７４と、該第１始動装置本体５１に設けられた発光装飾手段６５とから構成されている。ここで、前記第１始動装置本体５１は、前後に開口する円筒状に形成され、前記遊技盤２０の前面に固定される取付部材５２と、該取付部材５２の後端部に設けられ、前記投影手段７４および発光装飾手段６５が設置される設置部材５７とから構成されている。なお、前記取付部材５２の前端面には、第１始動入賞装置５０を装飾する前飾り部材５５が配設されている。
【００３９】
(取付部材５２)
前記取付部材５２は、前後方向の略中間位置に外方へ延出する取付片５２ａが取付部材５２の略全周に亘って形成されている。そして、前記取付部材５２における取付片５２ａより後方の後側部分を前記遊技盤２０に形成した前記第２装着口に挿入した状態で、該取付片５２ａを遊技盤２０に前側からネジ固定するよう構成されている。また、前記取付部材５２の上端部には、前記取付片５２ａより前方前側部分に、上方および後方へ開放する球受け部５３が形成され、該取付部材５２を遊技盤２０に取り付けた状態で、該球受け部５３が遊技盤２０の前面側で上方に開口するようになっている。すなわち、前記球受け部５３の上方開口が前記遊技領域２０ａ(第１球流下経路２１)を流下するパチンコ球が入賞可能な前記第１始動入賞口５０ａとして機能するよう構成されている。また、前記取付部材５２の上端部には、前記球受け部５３の後方開口に連通する前側球通路５４が前後方向に延在するよう形成されている。更に、前記取付部材５２の後端部には、周方向に離間する複数箇所に後方へ開放する嵌合切欠部５２ｂが形成されており、各嵌合切欠部５２ｂに前記発光装飾手段６５の装飾図柄表示部材６９に形成された嵌合片７０ａ(何れも後述)が嵌合するようになっている。なお、実施例の取付部材５２には、周方向に離間する３箇所(下部位置および左右側部位置)に前記嵌合切欠部５２ｂが形成されている。
【００４０】
(設置部材５７)
前記設置部材５７は、図８、図９、図１１に示すように、前記取付部材５２の後方開口を塞ぐ円板状に形成され、前記第１始動入賞装置５０の後面を形成する後板部５８と、該後板部５８の外周端部から前方へ延出する外周壁部５９とを有し、該外周壁部５９の前端部を取付部材５２の後端部に整合させた状態で、設置部材５７を取付部材５２にネジ固定するよう構成されている。また、前記設置部材５７の上部には、前後および上方に開放する後側球通路６０が形成されており、取付部材５２と設置部材５７とを組み付けた状態で、取付部材５２の前側球通路５４に後側球通路６０が連通するようになっている。そして、前記第１始動入賞装置５０を配設した遊技盤２０と箱状部材３３とを組み付けた際に、前記箱状部材３３に設けた前記第１始動入賞球排出通路に前記後側球通路６０が連通するよう構成されている。すなわち、前記第１始動入賞口５０ａに入賞したパチンコ球は、前記球受け部５３、前側球通路５４および後側球通路６０を介して前記箱状部材３３の第１始動入賞球排出通路に移動して、前記第１始動入賞球検出センサ３８で検出される。
【００４１】
前記設置部材５７の後板部５８には、図８、図９、図１１に示すように前後方向に開口する矩形状の投影手段挿通孔６１が形成されると共に、該投影手段挿通孔６１の上方位置には、上方へ向かうにつれて前方へ傾斜した傾斜取付部６２が形成されており、当該投影手段挿通孔６１に挿通した前記投影手段７４を傾斜取付部６２に取り付けるよう構成されている。なお、前記傾斜取付部６２には、前記投影手段７４を位置決めする位置決め突部６２ａが後方へ突出するよう形成されると共に、該位置決め突部６２ａに隣接してネジ孔６２ｂが後方へ開口するよう形成されている。
【００４２】
(発光装飾手段６５)
前記発光装飾手段６５は、図８、図９に示すように、前記設置部材５７に取り付けられ、前面に光を照射するＬＥＤ(第２の発光手段)６７を実装した入賞装置用ＬＥＤ基板６６と、該入賞装置用ＬＥＤ基板６６の前側に配設されると共に前記取付部材５２の開口内部に収容される光透過性の装飾図柄表示部材６９とから構成されている。前記入賞装置用ＬＥＤ基板６６は、前記設置部材５７における後板部５８の略上半分(投影手段挿通孔６１の上方側)を覆う形状に形成されている。また、前記入賞装置用ＬＥＤ基板６６の外周近傍には、前後に貫通する位置決め孔６６ａ,６６ａが形成されて、前記設置部材５７(後板部５８)の前面に形成された突起部６３を各位置決め孔６６ａに挿入することで、設置部材５７の所定位置に入賞装置用ＬＥＤ基板６６が位置決めされるようになっている。
【００４３】
図８、図９、図１１に示すように、前記装飾図柄表示部材６９は、前記取付部材５２の開口内側に内部に嵌合する略円筒状に形成された筒状部７０と、該筒状部７０の前端部に前方へ球面状に膨出するよう設けられた前面部７１とから形成されている。前記筒状部７０(装飾図柄表示部材６９)の後端部には、外方へ突出する嵌合片７０ａが周方向に離間する複数箇所(実施例では装飾図柄表示部材６９の左右側部および下部の３箇所)に形成されており、各嵌合片７０ａが前記取付部材５２の後端部に形成された前記各嵌合切欠部５２ｂに嵌合することで、筒状部７０および前面部７１が取付部材５２の内部に収容された状態で装飾図柄表示部材６９が位置決めされるようになっている。そして、前記各嵌合片７０ａは、対応する嵌合切欠部５２ｂに嵌合した状態で、前記設置部材５７における外周壁部５９の前端部に当接するよう構成されている。すなわち、前記取付部材５２と設置部材５７とを固定した際に、前記嵌合片７０ａが外周壁部５９との間に挟持されることで、前記装飾図柄表示部材６９が保持されるようになっている。
【００４４】
また、前記装飾図柄表示部材６９の前面部７１には、図１１に示すように、所定の装飾図柄７２が描かれており、前記入賞装置用ＬＥＤ基板６６のＬＥＤ６７の光により装飾図柄７２が明輝するようよう構成されている。ここで、実施例では、前記装飾図柄７２として、遊技者側から正しく判別し得る態様で「漢」文字が装飾図柄表示部材６９に描かれている。そして、実施例における装飾図柄表示部材６９の前面部７１は、前記装飾図柄７２の描画部分と、装飾図柄７２の描画部分以外の部分とで透明度を異ならせてある。具体的には、装飾図柄７２の描画部分の透明度を高くしてある。なお、前記入賞装置用ＬＥＤ基板６６のＬＥＤ６７の光により装飾図柄７２が認識できる態様であれば、装飾図柄７２の描画部分を光が透過しない形態にしたり、或いは装飾図柄７２の描画部分以外の部分を光を透過しない形態にすることも可能である。また、前記装飾図柄表示部材６９の前面部７１には、前記投影手段７４の筒状本体７５(後述)が嵌合する嵌合孔７１ａが前後に貫通するよう形成されている。
【００４５】
(投影手段７４)
前記投影手段７４は、図８〜図１１に示すように、前後方向に貫通すると共に前記装飾図柄表示部材６９の内側に収容される筒状本体７５と、該筒状本体７５の内部に配置され、該筒状本体７５の延在方向に光を照射するＬＥＤ(発光手段)８４ａを実装した投影用ＬＥＤ基板８４と、当該筒状本体７５の内部に設けられ、ＬＥＤ８４ａの前方に位置する拡大レンズ８０と、ＬＥＤ８４ａおよび拡大レンズ８０の間に設けられ、投影用図柄が描かれた投影図柄表示部材(図柄部材)８６とから構成されて、ＬＥＤ８４ａから投影図柄表示部材８６に照射された光の透過光により形成される図柄を拡大レンズ８０で拡大して、前記遊技盤２０に対面する遊技者に投影するようになっている。前記投影図柄表示部材８６は、図９に示すように、後方に開口する矩形箱状に形成されて、該投影図柄表示部材８６の前面部８６ａに小さな段差の凹状部８７が形成されており、投影用図柄を描いた投影図柄シート８８が凹状部８７に接着等により取り付けられている。
【００４６】
また、前記投影図柄表示部材８６の前面部８６ａには、前記投影図柄シート８８に描かれた投影用図柄と対応する位置に、前後に開口する通孔８６ｂが開設されて、該投影図柄表示部材８６の通孔８６ｂを介してＬＥＤ８４ａの光が投影用図柄に直接照射されるようになっている。ここで、実施例の前記投影図柄シート８８には、投影用図柄として、前記装飾図柄表示部材６９に描かれた装飾図柄７２(すなわち「漢」文字)を上下反転させた態様の図柄が光を透過可能な形態で描かれており、該投影用の図柄を除く全体が着色により光を透過不能に構成されている。すなわち、前記ＬＥＤ８４ａを発光した際に、投影図柄シート８８に描かれた投影用図柄の描写部分を光が透過して、遊技者に投影されるようになっている。また、前記投影図柄表示部材８６の一側面には、外方へ突出する位置決め片８６ｃが形成されており、前記筒状本体７５に形成された位置決め溝部７８に嵌合するようになっている。
【００４７】
(筒状本体７５)
図９、図１０に示すように、前記筒状本体７５は、前後方向に貫通する円筒状のレンズ設置筒部７６と、該レンズ設置筒部７６の後端部に設けられて後方に開口する矩形箱状の収容設置部７７とから構成されて、レンズ設置筒部７６内に前記拡大レンズ８０が設置されると共に、収容設置部７７に前記投影図柄表示部材８６が収容されている。ここで、前記レンズ設置筒部７６に配設される前記拡大レンズ８０は、レンズ設置筒部７６の前端部に配設される前側レンズ８１および当該レンズ設置筒部７６の後端部に配設される後側レンズ８２からなる一対の凸レンズであって、該一対のレンズの拡大・反転作用により、前記投影図柄表示部材８６に描かれた投影用の図柄(「漢」文字を上下反転させたもの)が、前記装飾図柄表示部材６９に表示された装飾図柄７２(「漢」文字)を左右反転させた態様で遊技者に投影されるよう構成されている。
【００４８】
そして、前記前側レンズ８１は、前記レンズ設置筒部７６に対して分離不能に組み付けられている(図１１参照)。また前記後側レンズ８２は、図９、図１０に示すように、前記レンズ設置筒部７６の後方開口(収容設置部７７側の開口)から内挿可能な円筒状に形成されて、前端面に凸レンズ状のレンズ部分が形成されている。そして、前記レンズ設置筒部７６の内周面に形成した後側レンズ８２の前端部が当接して位置決めされる段差部７６ａが形成されている。
【００４９】
前記収容設置部７７は、図９、図１０に示すように、前記レンズ設置筒部７６内および後方に開口する矩形箱状に形成されており、該収容設置部７７の内側に形成された嵌合凹部７７ａに、前記投影図柄表示部材８６が嵌合するよう収容されている。そして、前記レンズ設置筒部７６内に後側レンズ８２を収容すると共に、前記収容設置部７７内に投影図柄表示部材８６を収容した状態で、該レンズ設置筒部７６の内周面に形成した段差部７６ａ(図１１参照)に後側レンズ８２の前端部が当接すると共に、前記収容設置部７７に収容した投影図柄表示部材８６の前面部８６ａ(投影図柄シート８８)が後側レンズ８２の後端部に当接することで、前記前側レンズ８１および投影用図柄の夫々と所定の距離だけ離間するよう当該レンズ設置筒部７６の内部に後側レンズ８２が収容保持される。
【００５０】
また、前記収容設置部７７の内側壁面には、前記投影図柄表示部材８６に形成された位置決め片８６ｃと対応する位置に、該位置決め片８６ｃを後方から挿入可能な位置決め溝部７８が形成されている。すなわち、前記位置決め溝部７８に位置決め片８６ｃが挿入される姿勢で前記投影図柄表示部材８６を嵌合凹部７７ａに収容することで、小さな投影用図柄を目視により確認しなくても、投影用図柄が装飾図柄７２(すなわち「漢」文字)を上下反転させた態様となる姿勢で投影図柄表示部材８６が収容されるようになっている。
【００５１】
また、図１０に示すように、前記収容設置部７７の後端部には、前記嵌合凹部７７ａの周囲に、後方へ突出する位置決め突部７７ｂが形成されると共にネジ孔７７ｃが形成されており、該位置決め突部７７ｂおよびネジ孔７７ｃを利用して前記投影用ＬＥＤ基板８４を位置決めおよびネジ止めするよう構成されている。このとき、前記嵌合凹部７７ａの後方開口は、前記投影用ＬＥＤ基板８４により完全に塞がれると共に、該投影用ＬＥＤ基板８４に設けたＬＥＤ８４ａが嵌合凹部７７ａ(投影図柄表示部材８６)の内側に臨んで、該ＬＥＤ８４ａの光が筒状本体７５の外方に漏れないようになっている。
【００５２】
更に、前記筒状本体７５(収容設置部７７)の後端上部には、図１０、図１１に示すように、上方へ延出する支持固定片７９が全周に亘って形成されている。そして、前記筒状本体７５のレンズ設置筒部７６および収容設置部７７の夫々を、前記第１始動装置本体５１(設置部材５７)に形成された前記投影手段挿通孔６１へ後方から挿入した状態で、該第１始動装置本体５１(設置部材５７)に形成された前記傾斜取付部６２に前記支持固定片７９が当接し、第１始動装置本体５１に対する投影手段７４の前方位置が決定されるようになっている。これにより、図１１に示すように、前記筒状本体７５が前方へ向けて下方傾斜する姿勢で前記投影手段７４が第１始動装置本体５１(設置部材５７)に取り付けられるようになっている。
【００５３】
また、前記傾斜取付部６２に前記支持固定片７９を当接させた状態で、前記レンズ設置筒部７６の前端部が前記装飾図柄表示部材６９に形成された嵌合孔７１ａに嵌合するよう構成されている。ここで、前記第１始動入賞装置５０を前記遊技盤２０に設置した状態で、前記筒状部７０の長手方向(投影用ＬＥＤ基板８４のＬＥＤ８４ａの光の照射方向)が平均的な体格の遊技者の胸部から腹部の近傍を向くよう前記傾斜取付部６２の傾斜角度が設定されている。なお、前記支持固定片７９には、前記第１始動装置本体５１(設置部材５７)の傾斜取付部６２に形成された位置決め突部６２ａおよびネジ孔６２ｂの夫々に対応する位置に、位置決め孔７９ａおよび通孔７９ｂが夫々形成されており、傾斜取付部６２に支持固定片７９を当接させて位置決め突部６２ａを位置決め孔７９ａに挿入した状態で、通孔７９ｂに挿通したネジをネジ孔６２ｂに螺挿することで、投影手段７４が第１始動装置本体５１に固定されている。
【００５４】
(第２始動入賞装置９０)
前記第２始動入賞装置９０は、図１２〜図１４に示すように、前記遊技盤２０の前面に取り付けられる平板状の取着部９１と、該取着部９１に形成されて前後に開口し、パチンコ球が入賞可能な第２始動入賞口９２(入賞口)と、当該取着部９１の後側に配設され、第２始動入賞口９２に入賞したパチンコ球が移動する収容空間１１０ａが内部画成された第２始動装置本体１１０と、該第２始動装置本体１１０に配設され、第２始動入賞口９２へパチンコ球を案内する入賞許容位置および第２始動入賞口９２へパチンコ球が入賞不能な入賞阻止位置に変位可能な開閉部材１３０と、当該第２始動装置本体１１０に配設されたソレノイド１５０(駆動装置)と、開閉部材１３０とソレノイド１５０とを接続する作動手段１３５とを基本的に備えている。ここで、前記第２始動入賞装置９０は、前述した開放条件の成立に伴って前記開閉部材１３０が入賞許容位置に移動し、前述した閉鎖条件の成立に伴って開閉部材１３０が入賞阻止位置に移動するようソレノイド１５０が駆動制御される。すなわち、前記ソレノイド１５０の駆動に伴って作動された作動手段１３５が前記開閉部材１３０を入賞許容位置および入賞阻止位置に移動させることで、前記第２球流下経路２２を流下するパチンコ球の第２始動入賞口９２への入賞を制限するよう構成されている。
【００５５】
(取着部９１)
前記取着部９１には、図１４、図１６に示すように、前記第２始動入賞口９２の下方位置に、開閉部材挿通孔９３が前後に開口するよう形成されて、前記ソレノイド１５０の駆動に伴って前記入賞阻止位置から入賞許容位置に移動した開閉部材１３０が、該開閉部材挿通孔９３を介して取着部９１の前方へ突出するよう構成されている。すなわち、前記入賞許容位置に移動した開閉部材１３０上に、前記第２球流下経路２２を流下するパチンコ球を開閉部材１３０上に受止め得るようになっている。また、前記第２始動入賞口９２と開閉部材挿通孔９３とは、上下に連通するよう形成されており、前記開閉部材１３０上に受け止められたパチンコ球が、第２始動入賞口９２へ誘導されるよう構成されている。なお、前記開閉部材挿通孔９３は、前記第２始動入賞口９２の左右開口幅より幅広に設定されており、前記開閉部材１３０に形成されたガイド突部１３１,１３１(後述)が前記取着部９１に干渉するのを防止している。
【００５６】
また、前記取着部９１の下縁部近傍には、前後に貫通する光透過孔９４が複数箇所(実施例では４箇所)に形成されると共に、該取着部９１における複数の光透過孔９４に対応する前面側に、当該光透過孔９４を覆う光透過性のカバー部材９５が取り付けられている。そして、前記取着部９１における前記複数の光透過孔９４に対応する裏面側には、各光透過孔９４に前後に整列する位置にＬＥＤ９６ａを実装したＬＥＤ基板９６が配設されており、該ＬＥＤ基板９６のＬＥＤ９６ａの光がカバー部材９５に照射されることで第２始動入賞装置９０の下部位置を発光装飾するよう構成されている。なお前記ＬＥＤ基板９６の裏側は保護カバー９７で被覆保護されている。
【００５７】
(ガイド手段１００)
前記取着部９１の前面には、図１２〜図１５に示すように、前記第２球流下経路２２を流下するパチンコ球を前記第２始動入賞口９２へ誘導するガイド手段１００が設けられている。前記ガイド手段１００は、前記第２始動入賞口９２を挟む左右両側に設けられて前記取着部９１の前面から前方へ突出する一対のガイド部１０１,１０２と、該一対のガイド部１０１,１０２の上面に形成されて対向するガイド部１０１,１０２に向けて下方傾斜する傾斜面１０３と、各ガイド部１０１,１０２の傾斜面１０３を覆うよう設けられた補強部材１０４とを備え、当該一対のガイド部１０１,１０２の間に、パチンコ球が上下方向に通過可能な球通過口１００ａが画成されている。すなわち、前記入賞許容位置に移動した際に前記球通過口１００ａの内側に前記開閉部材１３０が臨んで、該球通過口１００ａを通過するパチンコ球を第２始動入賞口９２へ案内すると共に、前記入賞阻止位置に移動した際に球通過口１００ａから開閉部材１３０が退避することで、第２始動入賞口９２を閉成して入賞を阻止するよう構成されている。
【００５８】
また、前記第２始動入賞口９２の左側に位置する左ガイド部１０１(すなわち第２球流下経路２２の下流側に位置するガイド部)は、該第２始動入賞口９２の右側に位置する右ガイド部１０２よりも上方へ突出するよう構成されている。これにより、前記第２球流下経路２２を流下するパチンコ球が左ガイド部１０１の右側面１０１ｂ(右ガイド部１０２に対向する面)に接触し易くなり、前記球通過口１００ａへパチンコ球が誘導されるようになっている。また、前記左右のガイド部１０１,１０２の前端には、光透過性の遮蔽板１０５が前記取着部９１と略平行となる姿勢で取り付けられている。この遮蔽板１０５には、前記第２始動入賞口９２の前方位置に、後方へ突出する誘導突部１０５ａが形成されており、前記球通過口１００ａを通過するパチンコ球が誘導突部１０５ａに接触して第２始動入賞口９２側に弾かれることで、当該第２始動入賞口９２への入賞を補助している。
【００５９】
また、前記補強部材１０４は金属板から構成されて、前記左右のガイド部１０１,１０２毎に個別に備えられている。すなわち、左ガイド部１０１に対応する補強部材１０４は、前記左ガイド部１０１の傾斜面１０３および左右側面１０１ａ,１０１ｂに倣う屈曲形状をなし、該左ガイド部１０１の上面および左右側面１０１ａ,１０１ｂの上端部側を被覆するよう構成されている。同様に、右ガイド部１０２に対応する補強部材１０４は、該右ガイド部１０２の傾斜面１０３および左右側面１０２ａ,１０２ｂに倣う屈曲形状をなし、該右ガイド部１０２の上面および左右側面１０２ａ,１０２ｂの上端部側を被覆するよう構成されている。また、前記各補強部材１０４の両端部には、前記各ガイド部１０１,１０２に形成された係止溝１０１ｃ,１０２ｃ(図１５参照)に差し込まれる係止片１０４ａが夫々形成されており、該係止溝１０１ｃ,１０２ｃに係止片１０４ａを差し込むことで、各補強部材１０４が対応のガイド部に取り付けられている。
【００６０】
更に、前記ガイド手段１００には、図１５、図１６に示すように、前記各ガイド部１０１,１０２(具体的には各傾斜面１０３)と補強部材１０４との間に、前記制御装置１８に接続された圧力センサ(検知手段)１０６が設けられている。そして、前記第２球流下経路２２を流下したパチンコ球が前記ガイド手段１００に接触した際の圧力変化を前記圧力センサ１０６で検知し、その検知信号が制御装置１８に入力されるようになっている。すなわち、前記ガイド手段１００(補強部材１０４)へのパチンコ球の接触を検知する検知手段として前記圧力センサ１０６が機能している。ここで、前記制御装置１８には、前記圧力センサ１０６からの検知信号の入力に基づいてエラー判定を行なう判定手段１８ａが設けられている。具体的には、前記判定手段１８ａは、前述した特定条件が成立していない(すなわち通常状態)状態において、前記圧力センサ１０６からの検知信号の入力が設定時間(例えば３０秒)内に規定回数(例えば１０回)以上入力されたときにエラー判定するよう設定されている。そして、前記エラー判定においてエラー判定された場合には、パチンコ機１０に設けたスピーカ１７(報知手段)から「左打ちして下さい」等の音声出力を行なってエラーを報知するよう構成されている。
【００６１】
(第２始動装置本体１１０)
前記第２始動入賞装置９０の第２始動装置本体１１０は、図１７〜図２１に示すように、前後に開口する前側ケース体１１１と、該前側ケース体１１１の後方に設けられ、前後および下方に開口する後側ケース体１１６とから構成されている。そして、両ケース体１１１,１１６を組み付けることで前記収容空間１１０ａが内部画成されて、前記開閉部材１３０および作動手段１３５が収容空間１１０ａ内に収容される。前記前側ケース体１１１は、前記取着部９１に形成した前記第２始動入賞口９２の開口形状に整合する開口形状で前後に開口し、該第２始動入賞口９２に入賞したパチンコ球が通過する球通過路１１２と、該球通過路１１２の下部に形成されて取着部９１に形成した前記開閉部材挿通孔９３の開口形状に整合する開口形状で前後に開口して、前記開閉部材１３０を前後移動可能に案内するガイド溝部１１３とを備えている。ここで、前記球通過路１１２とガイド溝部１１３とは相互に連通するよう形成される。すなわち、前記前側ケース体１１１は、前記第２始動入賞口９２および開閉部材挿通孔９３の開口形状に整合する開口形状で前後に開口する筒状に形成されている。また、図１７に示すように、前記前側ケース体１１１の内底面１１１ａには、後方へ下方傾斜する案内片１１１ｂが上方へ突出するよう形成されており、該案内片１１１ｂの傾斜に沿ってパチンコ球を後方へ案内するようになっている。
【００６２】
前記後側ケース体１１６は、図１７，図１９に示すように、前面全体が開口する箱状に形成されると共に、後面板１１７の上部位置に前後に開口する後側開口部１１７ａが開設されている。そして、前記後側開口部１１７ａを介して収容空間１１０ａ内にプランジャ１５０ａを臨ませた姿勢で、前記ソレノイド１５０が後側ケース体１１６の後面板１１７に取り付けられている。また、前記後側ケース体１１６の下面板１１８には、パチンコ球が通過可能な球排出口１１９が形成されており、前記第２始動入賞口９２を通過して第２始動入賞装置９０内に移動したパチンコ球が球排出口１１９を介して装置外部(下方)に排出されるようになっている。ここで、前記球排出口１１９は、前記箱状部材３３に設けた第２始動入賞球排出通路に連通するよう構成されて、パチンコ球が球排出口１１９から第２始動入賞球排出通路へ排出されるようになっている。なお、前記球排出口１１９の上方には、該球排出口１１９から排出されるパチンコ球を検出する第２始動入賞球検出センサ１２１を保持するホルダ１２０が形成されている。
【００６３】
更に、前記後側ケース体１１６には、図１９に示すように、前記ソレノイド１５０の下方位置に、前方へ開口するガイド凹部１２２が形成されて、該ガイド凹部１２２に前記開閉部材１３０の後部が挿入されている。ここで、前記ガイド凹部１２２は、前記取着部９１に形成された前記開閉部材挿通孔９３と前後に整列する位置に形成されている。すなわち、前記開閉部材１３０は、前記前側ケース体１１１に形成されたガイド溝部１１３および後側ケース体１１６に形成されたガイド凹部１２２により前記収容空間１１０ａ内を前後移動可能に保持されている。
【００６４】
また、前記第２始動装置本体１１０(後側ケース体１１６)には、図１９、図２０に示すように、前記作動手段１３５(後述する第２作動部材１４０)を揺動可能に支持する長溝(案内部)１２４と、該作動手段１３５(第２作動部材１４０)の揺動を規制する規制ガイド部(規制部)１２５とが形成されている。前記長溝１２４は、前記後側ケース体１１６の左右内側面１２３,１２３に、前記収容空間１１０ａの内方および前方へ開口すると共に前後方向に延在するよう形成され、該長溝１２４に沿って前記作動手段１３５(第２作動部材１４０)の揺動軸１４３(軸部)が前後方向に移動可能に支持されている。なお、前記長溝１２４の前方開口は、前記前側ケース体１１１に形成された遮蔽片１１４,１１４(図１９、図２０参照)が嵌合して塞がれている。ここで、前記作動手段１３５(第２作動部材１４０)の揺動軸１４３は、前記ソレノイド１５０を駆動停止した状態(プランジャ１５０ａが突出した状態)で前記長溝１２４の前端部側(以下、規制位置という)に保持され、ソレノイド１５０を駆動した状態(プランジャ１５０ａが引かれた状態)で長溝１２４の後端部側(以下、許容位置という)に保持されるようになっている。
【００６５】
また、前記規制ガイド部１２５は、前記後側ケース体１１６の左右内側面１２３に形成されて前記長溝１２４の上方に位置し、該長溝１２４と平行に前後方向に延在する規制溝部１２６と、該内側面１２３に形成されて規制溝部１２６の後端部に連通する円弧状の案内孔１２７とから構成されて、該規制ガイド部１２５に前記作動手段１３５(第２作動部材１４０)に形成された係合突部１４６(後述)が挿入されている。ここで、前記長溝１２４の前端部側の規制位置に前記揺動軸１４３が位置する状態(図２１、図２３参照)において、揺動軸１４３と係合突部１４６との離間距離を半径とする揺動軸１４３を中心とした円弧軌跡が前記規制溝部１２６の上下の溝壁１２６ａに交差するよう構成されている。すなわち、前記長溝１２４の規制位置に揺動軸１４３が位置する状態では、前記係合突部１４６に規制溝部１２６の溝壁１２６ａが係合(接触)して、該揺動軸１４３を中心とした前記作動手段１３５(第２作動部材１４０)の揺動が規制されるようになっている。また、前記規制溝部１２６は、前記収容空間１１０ａの内方および前方へ開口する一方で、前記第２始動装置本体１１０(後側ケース体１１６)の外方へ開口しないよう形成されており、該第２始動装置本体１１０(後側ケース体１１６)の外側から規制溝部１２６内にある前記係合突部１４６への干渉を防止している。
【００６６】
前記規制ガイド部１２５を構成する前記案内孔１２７は、図２５、図２６に示すように、前記長溝１２４の後端部側の許容位置に前記揺動軸１４３が位置する状態において、揺動軸１４３と係合突部１４６との離間距離を半径とする揺動軸１４３を中心とした円弧軌跡に沿って延在している。すなわち、前記長溝１２４の許容位置に揺動軸１４３が位置する状態では、前記係合突部１４６と規制溝部１２６の溝壁１２６ａとの係合(接触)が解除されて、該揺動軸１４３を中心とした前記作動手段１３５(第２作動部材１４０)の揺動が許容されるようになっている。
【００６７】
(開閉部材１３０)
前記開閉部材１３０は、図１７、図１８、図２０、図２２に示すように、前後方向に長尺な平板状に形成されると共に、該開閉部材１３０における左右の側端部に、側方へ突出するガイド突部１３１,１３１が形成されている。そして、前記第２始動装置本体１１０(前側ケース体１１１)に形成された前記左右のガイド溝部１１３に、対応するガイド突部１３１,１３１が摺動可能に挿入されると共に、該第２始動装置本体１１０(後側ケース体１１６)に形成された前記ガイド凹部１２２に開閉部材１３０の後端部が摺動可能に挿入されている。すなわち、前記開閉部材１３０は、前記第２始動装置本体１１０のガイド溝およびガイド凹部１２２に摺動可能に支持され、前記収容空間１１０ａ内を前後移動し得るよう構成されている。
【００６８】
また、前記開閉部材１３０の前端部には、後方へ向かうにつれて下方傾斜する傾斜状に形成された球誘導片１３０ａが上方へ突出するよう形成されている。そして、前記開閉部材１３０が入賞許容位置に移動した状態では、前記球誘導片１３０ａが前記遊技盤２０(取着部９１)の前面に突出するようになっている。また、前記開閉部材１３０が入賞阻止位置に移動した状態では、前記球誘導片１３０ａが前記開閉部材挿通孔９３の内側に位置すると共に前記第２始動入賞口９２内に突出するよう構成されている。すなわち、前記開閉部材１３０が入賞許容位置に移動した状態では、前記第２球流下経路２２(球通過口１００ａ)を流下するパチンコ球が球誘導片１３０ａで受け止められて、該球誘導片１３０ａの傾斜により後方(すなわち第２始動入賞口９２側)へ案内される一方で、開閉部材１３０が入賞阻止位置に移動した状態では、該球誘導片１３０ａが第２始動入賞口９２内に突出することで、該第２始動入賞口９２にパチンコ球が通過不能(入賞不能)としている。
【００６９】
また、前記開閉部材１３０には、図１７、図１８、図２１に示すように、前記球誘導片１３０ａの後方位置に、パチンコ球が通過可能な球通過孔１３０ｂが上下方向に開口するよう開設されている。ここで、前記球通過孔１３０ｂは、前記開閉部材１３０が入賞許容位置に移動した状態で、前記第２始動装置本体１１０(前側ケース体１１１)に形成された案内片１１１ｂおよび球排出口１１９の上方で同時に開口するよう構成されている。すなわち、前記球誘導片１３０ａの傾斜により前記第２始動入賞口９２を通過したパチンコ球は、前記開閉部材１３０の球通過孔１３０ｂから案内片１１１ｂ上に落下し、該案内片１１１ｂの傾斜に沿って後方に案内されて最終的に球排出口１１９から排出されるようになっている。
【００７０】
更に、前記開閉部材１３０における左右の側端部には、図１７に示すように、前記ガイド突部１３１,１３１の後方位置に、側方へ突出する突片１３２,１３２が前後方向に離間して設けられており、前後一対の突片１３２,１３２の間に、上下および側方に開放した作動溝１３３が開閉部材１３０における左右の側端部に形成されている。そして、前記作動手段１３５(第２作動部材１４０)に形成された作動軸１４４(後述)が、前記各作動溝１３３に挿入されて、作動手段１３５(第２作動部材１４０)と開閉部材１３０とが連繋接続し、作動手段１３５の作動(第２作動部材１４０の揺動)に伴って開閉部材１３０が入賞阻止位置および入賞許容位置の間で前後移動するよう構成されている。なお、前記開閉部材１３０が入賞許容位置に移動した際に、前側に位置する突片１３２,１３２が前記前側ケース体１１１のガイド溝部１１３に当接し、該開閉部材１３０が入賞阻止位置に移動した際に、後側に位置する突片１３２,１３２が前記後側ケース体１１６の後面板１１７に当接するよう構成されており、一対の突片１３２,１３２が開閉部材１３０を入賞許容位置および入賞阻止位置で位置決めする位置決め手段として機能するようになっている。
【００７１】
(作動手段１３５)
前記作動手段１３５は、図１７、図１８、図２２に示すように、前記ソレノイド１５０のプランジャ１５０ａに接続される第１作動部材１３６と、該第１作動部材１３６に接続すると共に前記開閉部材１３０に接続する第２作動部材１４０とから構成されている。前記第１作動部材１３６には、前記プランジャ１５０ａが係合する係合溝１３７ａが基部１３７に形成されて、前記ソレノイド１５０の通電・非通電の切り替えに伴ってプランジャ１５０ａと一体的に第１作動部材１３６が前後移動するよう構成されている。また、前記第１作動部材１３６には、前記基部１３７の前面側に左右方向に開口する連繋孔１３８ａが上下方向に延在するよう形成された連繋部１３８が形成されて、該連繋部１３８の連繋孔１３８ａに前記第２作動部材１４０の連繋軸１４１(後述)が上下方向に摺動可能に挿通されている。なお、実施例の連繋部１３８は、連繋孔１３８ａが上方開口するＵ字状に形成されて、該連携孔の上方開口を介して連繋軸１４１が挿入されている。
【００７２】
(第２作動部材１４０)
前記第２作動部材１４０は、図１７、図１８、図２２に示すように、前記第１作動部材１３６に連繋接続される連繋軸１４１と、該作動軸１４４の左右両端部に設けられて前記開閉部材１３０に連繋接続されると共に前記第２始動装置本体１１０に揺動可能に支持された揺動アーム１４２,１４２と、前記第２始動装置本体１１０に形成された前記規制ガイド部１２５(規制溝部１２６)に係脱可能に係合する係合突部１４６とを備えている。そして、前記ソレノイド１５０の非駆動時に、前記第２作動部材１４０の係合突部１４６が前記規制ガイド部１２５に係合して該第２作動部材１４０の揺動動作を規制し、ソレノイド１５０の駆動時に、第２作動部材１４０の揺動動作を許容するよう係合突部１４６および規制ガイド部１２５の係合状態が解除されるよう構成されて、ソレノイド１５０の駆動以外の手段によって開閉部材１３０が入賞許容位置および入賞阻止位置に移動するのを防止している。
【００７３】
前記連繋軸１４１は、前述したように前記第１作動部材１３６の連繋部１３８に形成された前記連繋孔１３８ａに挿入されて、該第１作動部材１３６と一体的に連繋軸１４１が前後移動されることで前記揺動アーム１４２(第２作動部材１４０)を揺動するよう構成されている。また、前記連繋軸１４１には、前記連繋孔１３８ａに挿入した状態で前記連繋部１３８の左右側端部に当接する環状突部１４１ａが左右に離間して形成されており、両環状突部１４１ａが連繋部１３８に当接することで、連繋部１３８と連繋軸１４１とが位置決めされるようになっている。
【００７４】
また、前記揺動アーム１４２は、図１７、図１８、図２２に示すように、前記連繋軸１４１の両端部から下方へ延出するよう形成されると共に、該揺動アーム１４２における連繋軸１４１に近接する端部側に、前記第２始動装置本体１１０に形成された前記長溝１２４に支持される前記揺動軸１４３が外方へ突出するよう形成されている。すなわち、前記第２作動部材１４０は、前記長溝１２４に支持された前記揺動軸１４３を中心として前記第２始動装置本体１１０に対して揺動可能に支持されている。また、前記各揺動アーム１４２における連繋軸１４１から離間する端部側(下端部側)には、前記開閉部材１３０に連繋接続する作動軸１４４が形成されている。すなわち、前記第２作動部材１４０を第２始動装置本体１１０に揺動可能に支持する揺動軸１４３は、該第２作動部材１４０における開閉部材１３０に連繋する作動軸１４４から離間した位置に設けられている。なお、前記各揺動アーム１４２に形成された作動軸１４４の夫々は、対向する揺動アーム１４２側に突出しており、前記開閉部材１３０の作動溝１３３に外側から挿入されている。
【００７５】
ここで、前記ソレノイド１５０を駆動していない状態(開閉部材１３０が入賞阻止位置にある状態)では、前記第２始動装置本体１１０の長溝１２４の前端部よりも前方に前記連繋軸１４１が位置するよう構成されて、前記揺動アーム１４２が揺動軸１４３を中心に後方へ向けて下方傾斜して前記作動軸１４４が揺動軸１４３よりも後側に位置するようになっている。そして、前記ソレノイド１５０を駆動した状態(開閉部材１３０が入賞許容位置にある状態)では、前記第２始動装置本体１１０の長溝１２４の後端部よりも後方に前記連繋軸１４１が位置するよう構成されて、前記揺動アーム１４２が揺動軸１４３を中心に前方へ向けて下方傾斜して前記作動軸１４４が揺動軸１４３よりも前側に位置するよう構成されている。すなわち、前記ソレノイド１５０の駆動を切替えて前記連繋軸１４１を前後移動することで、前記開閉部材１３０が入賞阻止位置および入賞許容位置に前後移動される。そして、前記ソレノイド１５０を駆動していない状態では、前記長溝１２４の前端部よりも前方に前記連繋軸１４１が位置することにより、前記揺動軸１４３が長溝１２４の規制位置に保持される。
【００７６】
また、前記各揺動アーム１４２の夫々には、図１７、図１８、図２２〜図２６に示すように、前記連繋軸１４１の左右両端部から前記揺動アーム１４２に交差(実施例では直交)する後方へ延在する突出片１４５が形成されている。そして、前記各突出片１４５の突出端部に、前記係合突部１４６(係合部)が外方へ突出するよう形成されて、該係合突部１４６が前記第２始動装置本体１１０に形成された前記規制ガイド部１２５(規制溝部１２６および案内孔１２７)に挿入されている。すなわち、前記係合突部１４６は、前記第２作動部材１４０において前記揺動軸１４３を挟んで前記開閉部材１３０の連繋部１３８とは反対側に設けられている。
【００７７】
前記揺動軸１４３が規制位置にある状態では、図２３に示すように、前記規制ガイド部１２５の規制溝部１２６内に前記係合突部１４６が位置している。すなわち、前記ソレノイド１５０を駆動していない状態では、前記第２作動部材１４０を揺動しようとしても、前記係合突部１４６が規制溝部１２６に係合して移動規制され、該揺動軸１４３を中心とした第２作動部材１４０の揺動が阻止されて、前記開閉部材１３０が入賞阻止位置に保持される(図２４参照)。また、前記揺動軸１４３が規制位置にある状態では、該揺動軸１４３と係合突部１４６との結ぶ直線に対して前記連繋軸１４１の移動方向が交差するよう構成されており、前記ソレノイド１５０を駆動して連繋軸１４１が後方移動した際に、揺動軸１４３が長溝１２４に沿って後方移動されると共に、係合突部１４６が規制溝部１２６に沿って後方移動される(図２５参照)。そして、前記揺動軸１４３が規制溝部１２６の後端部側の許容位置まで移動することで、前記係合突部１４６が前記案内孔１２７に臨んで、該揺動軸１４３を中心とした第２作動部材１４０の揺動が許容されて、更に連繋軸１４１が後方移動することで前記開閉部材１３０が入賞許容位置に移動されるようになっている(図２６参照)。
【００７８】
(実施例の作用)
次に、前述のように構成された実施例に係るパチンコ機１０の作用につき説明する。
【００７９】
前記中枠１２の前面側に設けられた前記操作ハンドル１６の操作レバー１６ａを遊技者が回転操作すると、前記打球発射装置から発射されたパチンコ球が前記遊技盤２０に設けた案内レール２３により画成された発射通路２３ａを介して遊技領域２０ａ内に打ち出される。このとき、前記操作レバー１６ａの回動量に応じてパチンコ球の打ち出し位置が変化し、打ち出し位置に応じて遊技領域２０ａの第１球流下経路２１または第２球流下経路２２をパチンコ球が流下する。前記特定条件が成立していない状態(大当り状態、確率変動状態、時間短縮状態となっていない状態)では、第１球流下経路２１を流下する「左打ち」となるようパチンコ球が打ち出されて、前記第１始動入賞装置５０にパチンコ球が入賞すると、前記制御装置１８の制御に基づいて前記図柄表示装置１９での図柄変動演出が開始され、図柄変動演出の結果、図柄表示装置１９に所定の図柄組み合わせが表示されると大当りが発生する。大当りが発生すると、図柄表示装置１９に表示された図柄組み合わせに応じて、前記遊技盤２０の右方(第２球流下経路２２)に設けられた特別入賞装置３１が開放されると共に、前記制御装置１８の制御に基づいて図柄表示装置１９において大当り演出が行なわれる。
【００８０】
そして、前記図柄表示装置１９での図柄変動演出が行なわれる際や大当り時等において、予め定めた設定条件に従って、前記第１始動入賞装置５０に設けられた前記投影手段７４における投影用ＬＥＤ基板８４のＬＥＤ８４ａが発光される。前記投影用ＬＥＤ基板８４のＬＥＤ８４ａが発光すると、前記投影図柄表示部材８６に形成した通孔８６ｂを介して投影図柄シート８８の投影用図柄に光が照射されて、該投影用図柄の描写部分を透過した透過光が前記拡大レンズ８０で拡大されて、遊技を行なっている遊技者に胸部から腹部の近傍に投影される。
【００８１】
前述のように前記第１始動入賞装置５０は、パチンコ球の入賞が前記図柄表示装置１９での図柄変動開始や賞球獲得の契機となることから、パチンコ機１０に備えられた装置の中でも遊技者の注意が特に強く惹き付けられる。このため、遊技者の注目度が格段に高い前記第１始動入賞装置５０に、単に発光するだけの演出でなく遊技者に対して投影用図柄を投影する演出を行なう投影手段７４を設けたことで、該投影手段７４を利用した演出効果により遊技の興趣を高め得ると共に、該第１始動入賞装置５０に対する注目度を一層高めて遊技の興趣を向上し得るようになる。すなわち、第１始動入賞装置５０に投影用図柄を投影する投影手段７４を設けることで、演出効果を高めて遊技の興趣を向上すると共に他機種との差別化を図ることができる。
【００８２】
また、遊技盤２０において図柄表示装置１９の下側に配設される第１始動入賞装置５０は、当該パチンコ機１０の正面に座って遊技盤２０に対面している遊技者の平均的な体格や遊技姿勢において、遊技者に対して投影し得る面積の大きな胸部または腹部に対向して位置している。すなわち、体格等によって投影用図柄を投影する位置を調節することなく遊技者に確実に投影することができ、投影手段７４の構成を簡単にし得ると共に製造コストを低廉に抑えることができる。また、前記投影手段７４の筒状本体７５(レンズ設置筒部７６)は、前方へ向かうにつれて下方傾斜するよう構成されている。すなわち、前記投影用ＬＥＤ基板８４のＬＥＤ８４ａからの光が遊技者の視線方向に向かないようになっているから、前記投影手段７４により遊技者に投影用図柄を投影した際に遊技者が眩しく感じるのを防止できる。そして、前記筒状本体７５(レンズ設置筒部７６)の前端部は、前記装飾図柄表示部材６９に形成された嵌合孔７１ａに勘合して支持されているから、パチンコ球の流下等によって振動が生じても前記投影手段７４による投影用図柄の投影方向を一定に保つことができる。
【００８３】
また、前記第１始動入賞装置５０には、前記投影手段７４の周囲に発光装飾手段６５が設置されており、該発光装飾手段６５を構成する入賞装置用ＬＥＤ基板６６のＬＥＤ６７を発光することで、前記装飾図柄表示部材６９に表示した装飾用図柄が明輝される。ここで、前記装飾図柄表示部材６９に表示された装飾用図柄は、前記投影手段７４により遊技者に投影される投影用図柄と同じ形態の図柄が表示される。すなわち、遊技者に投影される図柄と同じ装飾図柄７２が第１始動入賞装置５０自体に明輝表示されることで、該第１始動入賞装置５０の注目度を更に高めて、遊技の興趣を向上し得る。
【００８４】
また、実施例に係るパチンコ機１０では、特定条件が成立する前記大当りの発生や、確率変動状態や時間短縮状態への移行により、特定条件の成立に伴って、前記箱状部材３３に設けられた装飾用ＬＥＤ基板３６のＬＥＤ３６ａが発光されて、前記枠状装飾体４０の固定板４１に形成された前記第２球流下経路２２に臨む前記光透過部４２が明輝される。すなわち、特別条件の成立時にパチンコ球を打ち出すべき第２球流下経路２２が明輝されることで、初心者であっても右打ちする場所やタイミングが簡単に分かり、特定条件が成立した状態の興趣を充分に享受させ得る。また、図柄表示装置１９において遊技者に右打ちを指示するものではないので、該図柄表示装置１９を制御する制御装置１８の制御負担の増加を防止し得る。また、図柄表示装置１９では、右打ちを指示することなく特定条件の成立に伴った演出を表示できるから、図柄表示装置１９での演出効果の低下を来すこともない。
【００８５】
また、前記装飾用ＬＥＤ基板３６のＬＥＤ３６ａからの光は、前記枠状装飾体４０の固定板４１の裏側に設けた前記導光部材４５の導光部４５ａを介して対応の光透過部４２に導かれるから、該装飾用ＬＥＤ基板３６のＬＥＤ３６ａからの光が固定部の光透過部４２以外に洩れるのを防止できる。すなわち、前記装飾用ＬＥＤ基板３６のＬＥＤ３６ａを発光した際に、対応する光透過部４２に集中的に光を照射することができるから、明輝する部分が曖昧となることはなく、右打ちに際してパチンコ球を打ち出すべき部位を明確に示唆し得る。また、前記導光部材４５の導光部４５ａにより、前記枠状装飾体４０に形成された光透過部４２を個別に仕切るようにしたことで、前記第２球流下経路２２における上流側に位置する光透過部４２から下流側に位置する光透過部４２に順次光を照射することができる。すなわち、前記枠状装飾体４０に形成された複数の光透過部４２が、前記第２球流下経路２２の上流から下流に向けて順次明輝されることで、右打ちに際してパチンコ球を打ち出すべき場所やタイミングを強く示唆することが可能となる。
【００８６】
また、前記第２球流下経路２２は、パチンコ球が一列で通過可能な通路幅に形成されているから、右打ちに際して第２球流下経路２２に打ち出されたパチンコ球が前記枠状装飾体４０の固定板４１に形成した光透過部４２の前側を通過することになる。すなわち、前記装飾用ＬＥＤ基板３６のＬＥＤ３６ａの光によって明輝している光透過部４２の前側を通過するパチンコ球により光が遮られて点滅するように見せかけることができる。従って、前記装飾用ＬＥＤ基板３６のＬＥＤ３６ａの発光態様を制御することなく、光による演出効果を向上し得る。また、前記枠状装飾体４０における右傾斜庇部分４３ｂに凹凸部４６を形成したことにより、前記第２球流下経路２２へ打ち出されて右傾斜庇部分４３ｂに沿って転動するパチンコ球が凹凸部４６に接触して減勢することができる。そして、前記凹凸部４６に接触したパチンコ球の速度が遅くなる(減勢される)ことで、明輝している光透過部４２が前側を通る遊技球で隠れたり表われたりすることによる演出効果を長く期待できると共に、下流側に位置する特別入賞装置３１や第２始動入賞装置９０の損傷防止を図り得る。
【００８７】
ところで、前記第２球流下経路２２は、第１球流下経路２１に較べて流下するパチンコ球の障害となる遊技釘２０ｂ等の障害物が少ないことから、打ち出された時点から比較的パチンコ球の勢いが損なわれずに遊技領域２０ａ(第２球流下経路２２)の下部まで流下する。ここで、前記第２球流下経路２２に位置する前記第２始動入賞装置９０には、該第２球流下経路２２を流下するパチンコ球が衝突する前記ガイド手段１００(左右のガイド部１０１,１０２)に、該ガイド部１０１,１０２の傾斜面１０３および側面１０１ａ,１０１ｂ,１０２ａ,１０２ｂを覆うよう金属製の補強部材１０４,１０４を配設してある。このため、パチンコ球の衝突による前記ガイド手段１００(ガイド部１０１,１０２)の損傷を効果的に抑制することができる。
【００８８】
ここで、実施例に係る第２始動入賞装置９０では、前記左右のガイド部１０１,１０２の傾斜面１０３と補強部材１０４との間に圧力センサ１０６が配設されて、前記第２球流下経路２２を流下したパチンコ球が左右のガイド部１０１,１０２に接触した際の圧力変化を圧力センサ１０６で検知するようになっている。そして、前述した特定条件が成立していない(すなわち通常状態)状態において、前記圧力センサ１０６からの検知信号の入力が設定時間(例えば３０秒)内に規定回数(例えば１０回)以上入力されたときに、制御装置１８の判定手段１８ａによりエラー判定するよう構成されると共に、エラー判定された場合には、パチンコ機１０に設けたスピーカ１７から「左打ちして下さい」等の音声出力を行なってエラーを報知するよう構成されているから、適切でない右打ちを行なっていることを遊技者に知らせることで、遊技者が不満感を持つのを抑制し得る。また、右打ちを行なう必要のない特定条件の非成立時において、不必要にパチンコ球が右打ちされることで第２始動入賞装置９０が損傷する可能性が増すのを防止し得る。
【００８９】
また、前記第２始動入賞口９２の左側に位置する左ガイド部１０１(すなわち第２球流下経路２２の下流側に位置するガイド部)は、該第２始動入賞口９２の右側に位置する右ガイド部１０２よりも上方へ突出するよう形成されている。従って、前記第２球流下経路２２を流下して左ガイド部１０１に接触したパチンコ球を前記第２始動入賞口９２が開口する球通過口１００ａへ誘導でき、該第２球流下経路２２を流下するパチンコ球を効率的に第２始動入賞口９２に入賞させることができる。
【００９０】
前述したように、前記第２球流下経路２２に打ち出されたパチンコ球は、前記第２始動入賞口９２が開口する前記球通過口１００ａへ誘導されるため、前記開閉部材１３０が入賞許容位置に移動していることを条件として高確率で第２始動入賞口９２に入賞する。このため、前記第２始動入賞装置９０における前記開閉部材１３０の開放条件が成立していないにも拘わらず不正器具等を利用して開閉部材１３０を強制的に入賞許容位置に移動させて第２始動入賞口９２を開放する不正行為が行なわれると、パチンコ機１０に予め設定された正常な条件での遊技が行なわれなくなる。
【００９１】
ここで、実施例に係る第２始動入賞装置９０では、前記開閉部材１３０が前記入賞阻止位置にある状態において前記第２作動部材１４０の揺動軸１４３が長溝１２４の前端側の規制位置に位置すると共に、該第２作動部材１４０の係合突部１４６が前記規制ガイド部１２５の規制溝部１２６に位置するよう構成されている。そして、前記第２作動部材１４０の揺動軸１４３が長溝１２４の前端側の規制位置に位置した状態で、該揺動軸１４３を中心として第２作動部材１４０が揺動された際には、前記係合突部１４６が規制溝部１２６の底壁に接触して当該第２作動部材１４０の揺動が規制される。すなわち、前記入賞阻止位置にある前記開閉部材１３０を直接操作して不正器具等により入賞許容位置に移動しようとしても、前記第２作動部材１４０の揺動が規制され、該開閉部材１３０が入賞許容位置に移動されるのを防止できる。
【００９２】
一方で、前記第２始動入賞装置９０に設けたソレノイド１５０を駆動した場合には、該ソレノイド１５０のプランジャ１５０ａに接続した第１作動部材１３６の後方移動に伴って、前記揺動軸１４３が長溝１２４に沿って後端側の許容位置に移動するよう前記第２作動部材１４０が後方移動する。このとき、前記係合突部１４６も前記規制溝部１２６に沿って後方移動して、前記規制ガイド部１２５の案内孔１２７に係合突部１４６が臨むようになっている。ここで、前記案内孔１２７は、記長溝１２４の許容位置に位置する揺動軸１４３を中心として該揺動軸１４３と係合突部１４６との離間距離を半径とする円弧状に形成されているから、該揺動軸１４３が長溝１２４の許容位置に移動した状態で前記第１作動部材１３６が更に後方移動するのに伴って係合突部１４６が案内孔１２７を移動し、前記開閉部材１３０が入賞阻止位置から入賞許容位置に移動するよう前記第２作動部材１４０が揺動軸１４３を中心に揺動される。
【００９３】
すなわち、実施例に係る第２始動入賞装置９０では、前記ソレノイド１５０の駆動(第２作動部材１４０の前後移動)に伴って前記第２作動部材１４０が前記長溝１２４の規制位置および許容位置に移動する簡単な構成により、該ソレノイド１５０を駆動した場合にのみ前記開閉部材１３０を入賞阻止位置から入賞許容位置に移動して第２始動入賞口９２を開放することができ、不正器具等を利用して開閉部材１３０を強制的に開放する不正行為を確実に防止することができる。また、前記開閉部材１３０が入賞阻止位置に保持された状態において、前記第２作動部材１４０に形成された前記係合突部１４６を前記規制溝部１２６に臨ませて、第２始動装置本体１１０の外部に露出しないよう構成してあるから、該係合突部１４６を適切に保護することができる。すなわち、前記係合突部１４６が不正に損傷されて前記開閉部材１３０の開放規制が解除されるのを効果的に防止できる。
【００９４】
また、前記第２始動入賞装置９０では、前記第２作動部材１４０の係合突部１４６に係合して該第２作動部材１４０の揺動動作、すなわち開閉部材１３０の開放規制を行なう前記規制ガイド部１２５(規制溝部１２６)を第２始動装置本体１１０に設けたから、特開２００３−３４００２０号公報に記載された可動部同士の当接により開閉部材１３０の開放規制を行なう構成に比べて、設計上の遊びに起因する係合突部１４６および規制ガイド部１２５(規制溝部１２６)の位置ズレを小さく抑えることができる。すなわち、前記第２始動装置本体１１０に形成された長溝１２４の規制位置に前記第２作動部材１４０の揺動軸１４３が位置するよう支持された状態で、前記係合突部１４６が規制溝部１２６に係合するよう構成すれば、前記開閉部材１３０の不正開放を防止することができるから、開閉部材１３０の不正開放を防止する各部材に求められる精度を抑制でき、第２始動入賞装置９０の製造コストを低廉に抑えることができると共に、設計上の自由度を高めることができる。
【００９５】
(変更例)
なお、遊技機の構成としては、実施例のものに限らず、種々の変更が可能である。
(１)  実施例では、枠状装飾体における光透過部の裏側に導光部材を配設するよう構成したが、これに限られるものではなく、遊技盤裏側に設けた箱状部材の発光手段からの光が、枠状装飾体の光透過部に直接照射されるよう構成してもよい。
(２)  実施例では、前記枠状装飾体における光透過部の裏側に配設された導光部材に、１個の光透過部毎に応じた筒状の導光部を形成したが、複数の光透過部を単位として導光部を形成してもよく、また、光透過部全体を１つの導光部に臨ませるよう構成することも可能である。
(３)  実施例では、前記枠状装飾体の光透過部に対応した発光手段を、第２球流下経路の上流側から下流側に順に点灯するよう構成したが、これに限られるものではなく、遊技者に右打ちを行なうことを示唆し得る態様で発光手段を発光するようにすればよい。例えば、光透過部に「右打ち」の文字を表示すれば、枠状装飾体の光透過部に対応した発光手段を常時点灯させたり点滅させたとしても、右打ちを行なうべきことを遊技者が容易に理解できる。
(４)  前記第１始動入賞装置に設けられる投影手段の構成としては、実施例のものに限られるものではなく、入賞口の下方に設けられて通路が前後方向に延在する光非透過性の筒部材と、筒部材の内部に設けられて前方へ光を照射する発光手段と、筒部材の通路内に配設された拡大レンズと、発光手段および拡大レンズの間に設けられた図柄部材とを備えて、発光手段から図柄部材に照射された光の透過光により形成される図柄を拡大レンズで拡大した図柄を、遊技者に投影する構成であれば、任意の構成を採用できる。
(５)  実施例では、投影手段の筒部材を前方へ向けて下降する傾斜姿勢で配設したが、これに限られるものではなく、水平な姿勢で筒部材を配設するようにしてもよい。
(６)  実施例の投影手段では、拡大レンズを構成する前側レンズを筒部材から分離不能に構成したが、該筒部材に対して前側レンズを分離可能としてもよく、また拡大レンズを構成する後側レンズを筒部材に対して分離不能に構成してもよいことは当然である。
(７)  実施例では、投影用図柄を表示した投影図柄表示シートを投影図柄表示部材に取り付けるよう構成したが、該投影図柄表示部材自体に投影用図柄を表示してもよく、発光手段および拡大レンズの間に投影用図柄が位置する構成であればよい。
(８)  実施例では、第１始動入賞装置に発光装飾手段を設ける構成を示したが、該発光装飾手段を設けず、投影手段のみを設けることもできる。
(９)  実施例では、装飾用図柄および投影用図柄として「漢」文字を採用したが、これに限定されないことは云うまでもない。
(１０)  実施例では、第２始動入賞装置におけるガイド手段のガイド部に、金属製の補強部材を設けるようにしたが、硬質の合成樹脂材により形成された補強部材を設けるようにしてもよい。
(１１)  実施例では、前記ガイド手段のガイド部と補強部材との間に圧力センサを検知手段として設けたが、補強部材への遊技球の接触を検知し得る手段であれば、従来公知の各種センサやスイッチを採用し得る。例えば、ガイド手段のガイド部と補強部材との間にマイクロスイッチを配設して、補強部材への遊技球の接触により該スイッチのＯＮ・ＯＦＦが切り替わるよう構成することができる。
(１２)  前記補強部材への遊技球の接触に伴う判定手段のエラー判定に基づいてエラー報知を行なう報知手段としては、実施例に示したスピーカに限定されるものではなく、図柄表示装置に「左打ち」表示を行なって遊技者に知らせるようにしてもよい。すなわち、エラーを報知可能な手段であれば、従来公知の各種構成を報知手段として採用し得る。
(１３)  第２始動入賞装置において開閉部材の強制開放を規制するロック機構としては、実施例の構成に限られるものではなく、開放時に入賞口への遊技球の入賞を許容すると共に閉成時に入賞口への遊技球の入賞を阻止する開閉部材と、開閉部材に連繋されて駆動装置の駆動によって揺動して該開閉部材を開閉作動する作動部材と、装置本体に設けた規制部と、作動部材に設けられて、駆動装置の非駆動時において規制部に係合して該作動部材の揺動動作を規制すると共に、駆動装置の駆動時において該作動部材の揺動動作を許容するよう規制部との係合状態が解除される係合部とを備える構成であれば、実施例と同様の作用効果を期待できる。
(１４)  実施例では、第２始動入賞装置の作動部材(第２作動部材)の左右両アームに係合部を形成したが、少なくとも一方のアームに係合部を形成すれば、開閉部材の強制開放を防止できる。
(１５)  実施例では、第２始動入賞装置の駆動手段(ソレノイド)に第１作動部材を取り付けて、該第１作動部材の前後移動に伴って第２作動部材を揺動するよう構成したが、該駆動手段を第２作動部材に接続するよう構成することもできる。
(１６)  実施例では、第２始動入賞装置に前後移動する開閉部材を設けたが、揺動により入賞口を開閉する開閉部材を第２始動入賞装置に設けてもよい。
(１７)  実施例の第２始動入賞装置では、装置本体を前後のケース体から構成するようにしたが、上下のケース体から装置本体を形成してもよく、また単一或いは３つ以上のケース体を組み合わせて装置本体を構成することもできる。
(１８)  実施例では、遊技盤の裏側に箱状部材を設けるよう構成したが、該箱状部材を本体枠としての中枠に設置する構成も採用できる。
(１９)  実施例では、遊技盤を木材板形成したが、これに限られるものではなく、遊技盤を合成樹脂材から透明または不透明に形成するようにしてもよい。
(２０)  実施例では、遊技機としてパチンコ機を例示して説明したが、これに限られるものではなく、アレンジボール機やピンボール機、スロットマシン機等の各種遊技機を採用し得る。
【符号の説明】
【００９６】
２０  遊技盤
２０ａ  遊技領域
５０  第１始動入賞装置(入賞装置)
５０ａ  第１始動入賞口(入賞口)
６７  入賞装置用ＬＥＤ基板のＬＥＤ(第２の発光手段)
６９  表示部材
７５  筒状本体(筒部材)
８０  拡大レンズ
８４ａ  投影用ＬＥＤ基板のＬＥＤ(発光手段)
８６  投影図柄表示部材(図柄部材)
【図１】
0005427149.tif 000002
【図２】
0005427149.tif 000003
【図３】
0005427149.tif 000004
【図４】
0005427149.tif 000005
【図５】
0005427149.tif 000006
【図６】
0005427149.tif 000007
【図７】
0005427149.tif 000008
【図８】
0005427149.tif 000009
【図９】
0005427149.tif 000010
【図１０】
0005427149.tif 000011
【図１１】
0005427149.tif 000012
【図１２】
0005427149.tif 000013
【図１３】
0005427149.tif 000014
【図１４】
0005427149.tif 000015
【図１５】
0005427149.tif 000016
【図１６】
0005427149.tif 000017
【図１７】
0005427149.tif 000018
【図１８】
0005427149.tif 000019
【図１９】
0005427149.tif 000020
【図２０】
0005427149.tif 000021
【図２１】
0005427149.tif 000022
【図２２】
0005427149.tif 000023
【図２３】
0005427149.tif 000024
【図２４】
0005427149.tif 000025
【図２５】
0005427149.tif 000026
【図２６】
0005427149.tif 000027